(57)【要約】 【課題】  構成の簡素化および光量制御の簡素化が図られた光学鏡胴、結像光学システム、および撮影装置を提供する。【解決手段】  撮影光学系２０を収容したレンズ鏡胴１０において、第１のレンズ群２１と第２のレンズ群２２の間に配備されたエレクトロクロミック素子２４＿１，２４＿２と、第２のレンズ群２２と第３のレンズ群２３の間に配備されたエレクトロクロミック素子２４＿３とで構成された絞り部材２４を備え、この絞り部材２４が電圧の印加開放を受けて絞りと周辺光量調整とを行なう。【選択図】  図３
2007292997.tif 000002
【特許請求の範囲】
【請求項１】
被写体光を結像させる光学系を収容した光学鏡胴において、
電圧の印加開放を受けて絞りと周辺光量調整とを行なう絞り部材を備えたことを特徴とする光学鏡胴。
【請求項２】
前記絞り部材が、エレクトロクロミック素子で構成されたものであることを特徴とする請求項１記載の光学鏡胴。
【請求項３】
前記絞り部材が、絞り径が互いに異なる複数枚のエレクトロクロミック素子で構成されたものであることを特徴とする請求項１記載の光学鏡胴。
【請求項４】
前記絞り部材が、絞り径を同心的に複数段階に変化させるように、電圧の印加開放により透過率を変化させる、同心的に配列された複数のセグメントを有する１枚のエレクトロクロミック素子で構成されたものであることを特徴とする請求項１記載の光学鏡胴。
【請求項５】
前記絞り部材は、電圧の印加開放により、絞り径の透過率と、結像面上での中央と周辺の光量分布を平坦化するための透過率分布に変化させるものであることを特徴とする請求項３又は４記載の光学鏡胴。
【請求項６】
請求項１記載の光学鏡胴と、
前記絞り部材への電圧の印加開放により、絞り径と周辺光量分布を制御する制御手段とを備えたことを特徴とする結像光学システム。
【請求項７】
請求項６記載の結像光学システムと、
前記光学系による被写体像の結像面に配備された撮像素子とを備えたことを特徴とする撮影装置。
【発明の詳細な説明】
【技術分野】
【０００１】
本発明は、被写体光を結像させる光学系を収容した光学鏡胴、その光学鏡胴を備えた結像光学システム、およびその結像光学システムを備えた撮影装置に関する。
【背景技術】
【０００２】
従来より、カメラ等の撮影装置には、被写体を結像させる光学系を収容した光学鏡胴が備えられている。この光学系において、結像面上での中央に結像する光量（中心光量）に対する周辺光量は、コサイン４乗則に従って減少することが知られている。この中心光量に対する周辺光量の減少を改善するために、透過率可変部材であるエレクトロクロミック素子（以下、ＥＣＤと記述する場合がある）を用いて、ＥＣＤの中心領域の透過率を低く設定することにより中心光量を減じる技術が提案されている（特許文献１参照）。
【０００３】
また、被写体光を結像させる光学系を収容した光学鏡胴に備えられた、複数に分割された同心円状の作動領域を有するＥＣＤで構成された絞り装置が提案されている（特許文献２参照）。この光学鏡胴によれば、ズーム位置に対応してＥＣＤの作動領域を変化させることにより、そのズーム位置での必要光束のみを透過させて球面収差の発生要因である有害な光束成分の透過を阻止することができる。
【特許文献１】特開２００５−３５２３１８号公報
【特許文献２】特開２００４−９４０５２号公報
【発明の開示】
【発明が解決しようとする課題】
【０００４】
ここで、上述した特許文献１，２に提案されたＥＣＤは、ガラス基板上に透明電極，ＥＣ材料，電解質などの薄膜を積層して形成され、透明電極間への電圧印加により電解質から移動したイオンとＥＣ材料が電気化学的に反応して着色する物性素子である。このＥＣＤに印加する電圧を変化させることで、光の透過率を段階的に又は連続的に変化させることができる。
【０００５】
しかし、上述した特許文献１に提案された技術では、光学系における光量制御にあたり、中心光量を減じるためのＥＣＤに加えて、絞り機構が必要である。また、特許文献２に提案された技術では、ＥＣＤで構成された絞り装置に加えて、中心光量を減じるための装置が必要である。従って、構成が複雑であるとともに光量制御も複雑であるという問題がある。
【０００６】
本発明は、上記事情に鑑み、構成の簡素化および光量制御の簡素化が図られた光学鏡胴、結像光学システム、および撮影装置を提供することを目的とする。
【課題を解決するための手段】
【０００７】
上記目的を達成する本発明の光学鏡胴は、被写体光を結像させる光学系を収容した光学鏡胴において、
電圧の印加開放を受けて絞りと周辺光量調整とを行なう絞り部材を備えたことを特徴とする。
【０００８】
本発明の光学鏡胴は、電圧の印加開放を受けて絞りと周辺光量調整とを行なう絞り部材を備えたものであるため、１つの絞り部材で絞り径の制御と周辺光量の制御とを行なうことができる。従って、構成が簡素化されるとともに光量制御の簡素化が図られる。
【０００９】
ここで、上記絞り部材が、エレクトロクロミック素子で構成されたものであることが好ましい。
【００１０】
このようにすると、機械的な絞り部材を採用した場合と比較し、さらに簡素な構成で済む。
【００１１】
また、上記絞り部材が、絞り径が互いに異なる複数枚のエレクトロクロミック素子で構成されたものであることも好ましい態様である。
【００１２】
このようにすると、絞りと周辺光量調整とを自在に行なうことができる。
【００１３】
さらに、上記絞り部材が、絞り径を同心的に複数段階に変化させるように、電圧の印加開放により透過率を変化させる、同心的に配列された複数のセグメントを有する１枚のエレクトロクロミック素子で構成されたものであることも好ましい。
【００１４】
このようにすると、絞り部材のコストを低減することができる。
【００１５】
また、上記絞り部材は、電圧の印加開放により、絞り径の透過率と、結像面上での中央と周辺の光量分布を平坦化するための透過率分布に変化させるものであることも好ましい。
【００１６】
このようにすると、絞り径の制御を行ないながら結像面上での中央と周辺の光量分布を簡単に平坦化することができる。
【００１７】
また、上記目的を達成する本発明の結像光学システムは、
上記本発明の光学鏡胴と、
上記絞り部材への電圧の印加開放により、絞り径と周辺光量分布を制御する制御手段とを備えたことを特徴とする。
【００１８】
本発明の結像光学システムは、上記本発明の光学鏡胴と、上記絞り部材への電圧の印加開放により、絞り径と周辺光量分布を制御する制御手段とを備えたものであるため、１つの絞り部材で絞り径の制御と周辺光量の制御とを行なうことができる結像光学システムが実現される。従って、構成の簡素化および光量制御の簡素化が図られた結像光学システムを提供することができる。
【００１９】
さらに、上記目的を達成する本発明の撮影装置は、
上記本発明の結像光学システムと、
上記光学系による被写体像の結像面に配備された撮像素子とを備えたことを特徴とする。
【００２０】
本発明の撮影装置は、上記本発明の結像光学システムと、上記光学系による被写体像の結像面に配備された撮像素子とを備えたものであるため、構成の簡素化および光量制御の簡素化が図られた撮影装置を提供することができる。
【発明の効果】
【００２１】
本発明によれば、構成の簡素化および光量制御の簡素化が図られた光学鏡胴、結像光学システム、および撮影装置を提供することができる。
【発明を実施するための最良の形態】
【００２２】
以下、本発明の実施の形態について説明する。
【００２３】
図１は、本発明の撮影装置の一実施形態であるカメラの外観斜視図である。
【００２４】
図１（ａ）には、本発明の撮影装置の一実施形態であるカメラを正面上方から見た図が示されている。また、図１（ｂ）には、図１（ａ）に示すカメラを背面上方から見た図が示されている。
【００２５】
図１に示すカメラ１００は、撮影光学系を備えその撮影光学系を経由して入射してきた被写体光を撮像素子で捉えて画像信号を生成するデジタルカメラである。
【００２６】
図１（ａ）に示すように、このカメラ１００には、カメラボディ中央に備えられたレンズ鏡胴１０（本発明にいう光学鏡胴の一例に相当）と、そのレンズ鏡胴１０に収容された撮影光学系２０（本発明にいう光学系の一例に相当）とからなるレンズユニット１が組み込まれている。このカメラ１００では、撮影光学系２０を通してカメラ１００内部に配備されている撮像素子であるＣＣＤ固体撮像素子（以降ＣＣＤという）まで被写体の像が導かれるようになっている。
【００２７】
また、図１（ａ）に示すカメラ１００のレンズユニット１の上方には、ファインダ１０２と、測光光学系１０３と、測距部１０４と、発光ユニット１０５とが配備されている。測距部１０４は、互いに所定距離だけ離れた位置に配置されたＡＦ受光窓１０４ａ，１０４ｂを有し、被写体からの自然散乱光（太陽光等）である反射光をそれらＡＦ受光窓１０４ａ，１０４ｂを介して受光素子で受光して、いわゆる三角測距の原理を用いることにより被写体距離を測定する。
【００２８】
また、図１（ｂ）に示すように、カメラ１００の背面および上面には、ユーザがこのカメラ１００を使用するときに種々の操作を行なうための操作スイッチ群１１１が設けられている。
【００２９】
この操作スイッチ群１１１の中には、カメラ１００を作動させるための電源スイッチ１１１ａのほか、シャッタ釦１１１ｂ、十字キー１１１ｃ、メニュー／ＯＫキー１１１ｄ、キャンセルキー１１１ｅ、モードレバー１１１ｆなどがある。この操作スイッチ群１１１の中のモードレバー１１１ｆによって再生モードと撮影モードの切替えや撮影モードの中でさらに動画モード，静止画モードの切替えが行なわれる。このモードレバー１１１ｆが撮影モードに切り替えられるとスルー画が表示されてそのスルー画を見ながらシャッタ釦１１１ｂが押されると被写体の撮影が行なわれ、再生側に切り替えられると既撮影画像の再生表示がＬＣＤパネル１５０上に行なわれる。
【００３０】
また、メニュー／ＯＫキー１１１ｄおよび十字キー１１１ｃの操作により、セットアップメニューに切り替えて日時の設定や画像表示を行なうか否かの設定等を行なったり、撮影モードに切り替えてマニュアル，オート，風景，人物，夜景等を選択したり、あるいは撮影メニューに切り替えてセルフタイマ，連写等を選択したりすることができる。
【００３１】
図２は、図１に示すカメラの構成を示すブロック図である。
【００３２】
図２に示すカメラ１００には、図１に示す撮影光学系２０が備えられている。この撮影光学系２０には、第１のレンズ群２１、第２のレンズ群２２、および第３のレンズ群２３の３群からなる撮影レンズが備えられている。また、この撮影光学系２０には、詳細は後述するが、３枚のエレクトロクロミック素子２４＿１，２４＿２，２４＿３で構成された絞り部材２４が備えられている。
【００３３】
このカメラ１００ではすべての処理がメインＣＰＵ１１０によって制御されていて、このメインＣＰＵ１１０の入力部には図１（ｂ）に示した操作スイッチ群１１１からの操作信号がそれぞれ供給される。メインＣＰＵ１１０はＥＥＰＲＯＭ１１０ａと接続されており、このＥＥＰＲＯＭ１１０ａの中にはカメラ１００として動作するために必要なプログラムが書き込まれている。このような構成を持つカメラ１００の電源スイッチ１１１ａ（図１参照）が投入されると、ＥＥＰＲＯＭ１１０ａ内のプログラムの手順にしたがってメインＣＰＵ１１０によりこのカメラ１００全体の動作が制御される。
【００３４】
詳細には、操作スイッチ群１１１の中の電源スイッチ１１１ａが投入されると、メインＣＰＵ１１０により電源スイッチ１１１ａが投入されたことが検知され、電源１３０からメインＣＰＵ１１０，駆動用ＣＰＵ１２０などの各ブロックに電力が供給される。ここで、操作スイッチ群１１１の中のモードレバー１１１ｆが撮影側に切り替えられていた場合には、撮影光学系２０を経由してＣＣＤ１１２に結像された被写体像が画像信号として所定の間隔ごとに間引かれて出力され、その出力された画像信号に基づく被写体像がＬＣＤパネル１５０上に表示される。このＣＣＤ１１２にはクロックジェネレータ（以下、ＣＧという）１５３からタイミング信号が供給されており、このタイミング信号によって所定の間隔ごとに、画像信号が間引かれて出力される。このＣＧ１５３はメインＣＰＵ１１０からの指示に基づいてタイミング信号を出力しており、そのタイミング信号は、ＣＣＤ１１２の他、後段のＡ／Ｄ部１１３、およびＷＢ（ホワイトバランス）調整部・γ処理部１１４にも供給されている。従って、ＣＣＤ１１２、Ａ／Ｄ部１１３、ＷＢ調整部・γ処理部１１４ではそのタイミング信号に同期して順序良く画像信号の処理が流れるように行なわれる。
【００３５】
このようにメインＣＰＵ１１０の指示に応じてＣＧ１５３から出力されるタイミング信号に同期してＡ／Ｄ部１１３でデジタルの画像信号に変換され、またＷＢ調整部・γ処理部１１４でホワイトバランス調整やγ補正が所定の間隔ごとに行なわれていくときには、それらの画像信号の流れを適切に調整する必要があるので、後段にバッファメモリ１１５が設けられており、そのバッファメモリ１１５によって所定の間隔ごとに画像信号がＹＣ処理部１１６に転送されていくタイミングが調整される。バッファメモリ１１５からは古い時刻に記憶された画像信号から先にＹＣ処理部１１６へ転送される。そのＹＣ処理部１１６に転送された画像信号は、ＹＣ処理部１１６でＲＧＢ信号からＹＣ信号に変換され、その後バス１２１を介してＹＣ→ＲＧＢ変換部１５１に供給される。このＹＣ→ＲＧＢ変換部１５１でＹＣ信号が再びＲＧＢ信号に変換され、その変換されたＲＧＢ信号がドライバ１５２を経由してＬＣＤパネル１５０に供給される。これにより、ＬＣＤパネル１５０上に被写体像の画像表示が行なわれる。前述したＣＧ１５３から出力されるタイミング信号に同期してＣＣＤ１１２、Ａ／Ｄ部１１３、およびＷＢ調整部・γ補正部１１４が動作して、所定の間隔ごとにＣＣＤ１１２で生成された画像信号が処理されている訳であるから、このＬＣＤパネル１５０上には撮影レンズが向けられた方向の被写体が被写体像として常に表示され続ける。この表示され続けている被写体像を視認しながら、シャッタチャンスにシャッタ釦１１１ｂが押されると、そのシャッタ釦１１１ｂの押下タイミングを起点として所定の時間を経た後、ＣＣＤ１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がＩ／Ｆ（インターフェース）１１８を経由してメモリカード１１９に記録される。この圧縮・伸張部１１７では静止画についてはＪＰＥＧ規格に準拠した圧縮方式で圧縮が行なわれてメモリカード１１９に画像信号が記録される。画像信号からなるファイルのヘッダ部には圧縮情報や撮影情報などが書き込まれており、このカメラ１００のモードレバー１１１ｆが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示される。
【００３６】
また、このカメラ１００には、メインＣＰＵ１１０の他に駆動用ＣＰＵ１２０が設けられており、この駆動用ＣＰＵ１２０によって撮影光学系２０および発光ユニット１０５の制御が行なわれる。また、この駆動用ＣＰＵ１２０は、本発明にいう制御手段の役割を担うものでもあり、詳細は後述するが、絞り部材２４への電圧の印加開放により、絞り径と周辺光量分布を制御する。さらに、この図２に示す撮影光学系２０を収容したレンズ鏡胴１０（図１参照）と、この駆動用ＣＰＵ１２０とから、本発明にいう結像光学システムが構成されている。
【００３７】
図３は、図２に示す撮影光学系を収容したレンズ鏡胴の一部を示す断面図である。
【００３８】
図３に示すレンズ鏡胴１０には、撮影光学系２０が収容されている。この撮影光学系２０には、前述した第１のレンズ群２１、第２のレンズ群２２、および第３のレンズ群２３が備えられている。これら第１のレンズ群２１，第２のレンズ群２２，第３のレンズ群２３は、レンズ鏡胴１０を構成するレンズホルダ１１で保持されている。
【００３９】
また、この撮影光学系２０には、第１のレンズ群２１と第２のレンズ群２２の間に配備されたエレクトロクロミック素子２４＿１，２４＿２と、第２のレンズ群２２と第３のレンズ群２３の間に配備されたエレクトロクロミック素子２４＿３とで構成された絞り部材２４が備えられている。この絞り部材２４は、図２に示す駆動用ＣＰＵ１２０からの電圧の印加開放を受けて絞りと周辺光量調整とを行なう部材である。
【００４０】
詳細には、この絞り部材２４は、絞り径が互いに異なる３枚のエレクトロクロミック素子２４＿１，２４＿２，２４＿３で構成されている。これらのエレクトロクロミック素子２４＿１，２４＿２，２４＿３は、それぞれ、ガラス基板上に透明電極，ＥＣ材料，電解質などの薄膜を積層して形成され、透明電極間への電圧印加により電解質から移動したイオンとＥＣ材料が電気化学的に反応し、着色する物性素子である。以下、図４を参照して説明する。
【００４１】
図４は、図３に示す絞り部材を構成する３枚のエレクトロクロミック素子の平面図である。
【００４２】
図４（ａ）には、エレクトロクロミック素子２４＿１が示されている。このエレクトロクロミック素子２４＿１は、絞り機能を有する外径領域２４＿１ａと、周辺光量調整機能を有する内径領域２４＿１ｂと、これら外径領域２４＿１ａと内径領域２４＿１ｂを隔離する境界部２４＿１ｃとを有する。
【００４３】
このエレクトロクロミック素子２４＿１では、駆動用ＣＰＵ１２０からの電圧の印加を受けない開放状態にある場合は、外径領域２４＿１ａ，内径領域２４＿１ｂの透過率は共に高い状態（透明状態）にある。一方、駆動用ＣＰＵ１２０からの電圧の印加を受けた印加状態にある場合は、外径領域２４＿１ａは電気化学的に反応して着色し、その透過率が低下する。また、内径領域２４＿１ｂも電気化学的に反応して着色し、その透過率が低下する。ここでは、外径領域２４＿１ａおよび内径領域２４＿１ｂに対して、同じ値の電圧が印加されるものの、外径領域２４＿１ａの透過率の方が、内径領域２４＿１ｂの透過率よりも低くなるように反応する。
【００４４】
詳細には、外径領域２４＿１ａは、駆動用ＣＰＵ１２０からの電圧の印加を受けて、その透過率を大きく低下させることにより絞り機能の役割を担うものである。一方、内径領域２４＿１ｂは、駆動用ＣＰＵ１２０からの電圧の印加を受けて、結像面上での中央と周辺の光量分布を平坦化するように、その透過率を小さく低下させることにより周辺光量調整機能の役割を担うものである。
【００４５】
また、図４（ｂ）には、エレクトロクロミック素子２４＿２が示されている。このエレクトロクロミック素子２４＿２は、絞り機能を有する外径領域２４＿２ａと、周辺光量調整機能を有する内径領域２４＿２ｂと、これら外径領域２４＿２ａと内径領域２４＿２ｂを隔離する境界部２４＿２ｃとを有する。このエレクトロクロミック素子２４＿２は、図４（ａ）に示すエレクトロクロミック素子２４＿１と比較し、内径領域２４＿２ｂのサイズが大きい点を除いて同じであるため説明は省略する。
【００４６】
さらに、図４（ｃ）には、エレクトロクロミック素子２４＿３が示されている。このエレクトロクロミック素子２４＿３は、絞り機能を有する外径領域２４＿３ａと、周辺光量調整機能を有する内径領域２４＿３ｂと、これら外径領域２４＿３ａと内径領域２４＿３ｂを隔離する境界部２４＿３ｃとを有する。このエレクトロクロミック素子２４＿３は、図４（ｂ）に示すエレクトロクロミック素子２４＿２と比較し、内径領域２４＿３ｂのサイズが大きい点を除いて同じであるため、やはり説明は省略する。
【００４７】
これら３枚のエレクトロクロミック素子２４＿１，２４＿２，２４＿３で構成された絞り部材２４を備えたカメラ１００において、Ｆ値（絞り値）を大きくする場合（絞り部材２４で絞りを絞る場合）は、エレクトロクロミック素子２４＿１の外径領域２４＿１ａのみに電圧を印加する。これにより、外径領域２４＿１ａの透過率が大きく低下するとともに、内径領域２４＿２ｂは透明状態にある。また、エレクトロクロミック素子２４＿２，２４＿３には電圧が印加されないため、エレクトロクロミック素子２４＿２を構成する外径領域２４＿２ａ，内径領域２４＿２ｂ、およびエレクトロクロミック素子２４＿３を構成する外径領域２４＿３ａ，内径領域２４＿３ｂも透明状態にある。このようにして大きなＦ値を実現することができる。
【００４８】
一方、Ｆ値（絞り値）を小さくする場合は、結像面上での中央の光量のほうが周辺の光量よりも大きい場合（中央のほうが周辺よりも明るい場合）が多い。このような場合、結像面上での中央と周辺の光量分布を平坦化する必要がある。そこで、本実施形態のカメラ１００では、小さなＦ値を実現するために、エレクトロクロミック素子２４＿３の外径領域２４＿３ａに電圧を印加する。これにより、外径領域２４＿３ａの透過率が大きく低下し、小さなＦ値が実現される。また、結像面上での中央と周辺の光量分布を平坦化するために、エレクトロクロミック素子２４＿１の内径領域２４＿１ｂに電圧を印加する。これにより、内径領域２４＿１ａの透過率が小さく低下して、結像面上での中央と周辺の光量分布の平坦化が実現される。このようにして、結像面上での中央の光量を比較的小さく抑えたまま、小さなＦ値を実現することができる。
【００４９】
尚、ここでは、結像面上での中央と周辺の光量分布を平坦化するにあたり、エレクトロクロミック素子２４＿１の内径領域２４＿１ｂに電圧を印加する例で説明したが、エレクトロクロミック素子２４＿２の内径領域２４＿２ｂに電圧を印加してもよい。
【００５０】
図５は、図４に示す３枚のエレクトロクロミック素子から構成された絞り部材とは異なる絞り部材の平面図である。
【００５１】
図５に示す絞り部材２５には、絞り径を同心的に４段階に変化させるように、電圧の印加開放により透過率を変化させる、同心的に配列された４つのセグメント２５＿１，２５＿２，２５＿３，２５＿４を有する。これらのセグメント２５＿１，２５＿２，２５＿３，２５＿４は、１枚のエレクトロクロミック素子で構成されている。ここでは、同じ値の電圧が印加されるものの、セグメント２５＿１，２５＿２，２５＿３の透過率の方が、セグメント２５＿４の透過率よりも低くなるように反応する。
【００５２】
このような絞り部材２５を備えたカメラにおいて、Ｆ値を大きくする場合は、セグメント２５＿１，２５＿２，２５＿３に所定の値の電圧を印加する。これにより、セグメント２５＿１，２５＿２，２５＿３の透過率が大きく低下するとともに、中央部にあるセグメント２５＿４のみ透明状態になる。このようにして大きなＦ値を実現することができる。
【００５３】
一方、Ｆ値を小さくする場合は、セグメント２５＿１に電圧を印加する。これにより、セグメント２５＿１の透過率が大きく低下して、小さなＦ値が実現される。また、セグメント２５＿４にも電圧を印加する。これにより、セグメント２５＿４の透過率が小さく低下して、結像面上での中央と周辺の光量分布を平坦化することができる。このようにして、結像面上での中央の光量を比較的小さく抑えたまま、小さなＦ値を実現することができる。
【００５４】
尚、本実施形態では、本発明を、被写体光を撮像素子で捉えて画像信号を生成するデジタルカメラにより実現した例で説明したが、これに限られるものではなく、例えばロール状の写真フイルム上に写真撮影を行なうフイルムカメラや携帯電話に搭載されるカメラ、あるいは動画を撮影するビデオカメラ等の光学機器にも、本発明を適用することができる。
【図面の簡単な説明】
【００５５】
【図１】本発明の撮影装置の一実施形態であるカメラの外観斜視図である。
【図２】図１に示すカメラの構成を示すブロック図である。
【図３】図２に示す撮影光学系を収容したレンズ鏡胴の一部を示す断面図である。
【図４】図３に示す絞り部材を構成する３枚のエレクトロクロミック素子の平面図である。
【図５】図４に示す３枚のエレクトロクロミック素子から構成された絞り部材とは異なる絞り部材の平面図である。
【符号の説明】
【００５６】
１  レンズユニット
１０  レンズ鏡胴
１１  レンズホルダ
２０  撮影光学系
２１  第１のレンズ群
２２  第２のレンズ群
２３  第３のレンズ群
２４，２５  絞り部材
２４＿１，２４＿２，２４＿３  エレクトロクロミック素子
２４＿１ａ，２４＿２ａ，２４＿３ａ  外径領域
２４＿１ｂ，２４＿２ｂ，２４＿３ｂ  内径領域
２４＿１ｃ，２４＿２ｃ，２４＿３ｃ  境界部
２５＿１，２５＿２，２５＿３，２５＿４  セグメント
１００  カメラ
１０２  ファインダ
１０３  測光光学系
１０４  測距部
１０４ａ，１０４ｂ  ＡＦ受光窓
１０５  発光ユニット
１１０  メインＣＰＵ
１１０ａ  ＥＥＰＲＯＭ
１１１  操作スイッチ群
１１１ａ  電源スイッチ
１１１ｂ  シャッタ釦
１１１ｃ  十字キー
１１１ｄ  メニュー／ＯＫキー
１１１ｅ  キャンセルキー
１１１ｆ  モードレバー
１１２  ＣＣＤ
１１３  Ａ／Ｄ部
１１４  ＷＢ調整部・γ処理部
１１５  バッファメモリ
１１６  ＹＣ処理部
１１７  圧縮・伸張部
１１８  Ｉ／Ｆ
１１９  メモリカード
１２０  駆動用ＣＰＵ
１２１  バス
１３０  電源
１５０  ＬＣＤパネル
１５１  ＹＣ→ＲＧＢ変換部
１５２  ドライバ
１５３  クロックジェネレータ
【図１】
2007292997.tif 000003
【図２】
2007292997.tif 000004
【図３】
2007292997.tif 000005
【図４】
2007292997.tif 000006
【図５】
2007292997.tif 000007